(57)【要約】【課題】高温の排気中から散水によりリントを分離して屋外に排気することで環境汚染等を防止し、また排気浄化水を熱源とする補助熱源機構により熱風を生成することで、洗濯物の乾燥のランニングコストを低減することができる排熱を補助熱源とする熱風式乾燥装置及び排熱を補助熱源とする熱風式乾燥方法を提供する。【解決手段】排気浄化機１１は、熱風式乾燥機１から排気ダクト２に放出される高温排気を導入し、散水により高温排気中のリントを捕捉分離して排気を浄化する。排気浄化機１１の排気浄化水を熱源とする補助熱源機構２１は、ヒートポンプ２５により高温水を生成し、この高温水を放熱機２８に供給することにより熱風を生成して熱風式乾燥機１１に供給する。【選択図】図１
2010162197.tif 000002
【特許請求の範囲】
【請求項１】
熱風式乾燥機と、該熱風式乾燥機から排気ダクトに放出される高温排気を導入して散水により該高温排気中のリントを捕捉分離する排気浄化機と、該排気浄化機の排気浄化水を熱源としてヒートポンプにより高温水を生成し、該高温水を放熱機に供給することにより生成する熱風を前記熱風式乾燥機に供給する補助熱源機構とから構成してなる排熱を補助熱源とする熱風式乾燥装置。
【請求項２】
前記排気浄化機は、前記高温排気が流入・流出するケーシングと、該ケーシング内を流動する高温排気に散水するノズルを有し、該高温排気中のリントを水滴で捕捉する散水機構とから構成してなる請求項１記載の排熱を補助熱源とする熱風式乾燥装置。
【請求項３】
前記補助熱源機構は、前記排気浄化機のケーシング内の排気浄化水からリントを回収するストレーナと、リントを除去した排気浄化水を熱源として高温水を生成するヒートポンプと、該ヒートポンプにより生成した高温水により熱風を生成して前記熱風式乾燥機に供給する放熱機とから構成してなる請求項１記載の排熱を補助熱源とする熱風式乾燥装置。
【請求項４】
熱風により洗濯物を乾燥する熱風式乾燥機から排出される高温排気に散水することにより該高温排気中からリントを分離し、浄化した排気は外部に放出し、リントを捕捉した排気浄化水は該リントを除去した後ヒートポンプに供給して高温水を生成し、該高温水を放熱機に供給して生成した熱風を前記熱風式乾燥機に供給するようにしてなる排熱を補助熱源とする熱風式乾燥方法。
【発明の詳細な説明】
【技術分野】
【０００１】
本発明は、洗濯物の乾燥工程で排出される高温排気からリントを分離して清浄な排気にすることにより環境汚染を防止し、かつ排気からの回収熱を乾燥工程に再利用してエネルギーコストを低減するようにした排熱を補助熱源とする熱風式乾燥装置及び排熱を補助熱源とする熱風式乾燥方法に関する。
【背景技術】
【０００２】
熱風により洗濯物を乾燥する従来の業務用の熱風乾燥機は、洗濯物を収容した回転ドラムに熱風を送って洗濯物を乾燥し、この乾燥工程中に洗濯物かから出る綿ごみ、糸屑等の繊維屑、所謂リントが混入した状態の排気はそのまま屋外に排出する構成になっていた。このため、排気筒からリントが大気中に飛散するという問題、排気筒の周辺にはリントが次第に堆積されることから火災の危険があるという問題がある。このため、事業者は堆積したリントを適宜回収する作業を行うか、排気筒にフィルタを設けてリントを回収する乾式排気浄化法が用いられていた。
【０００３】
更に、乾燥機から排出される塵埃を含んだ温風を集塵機にかけた後、集塵機から排出される温風を熱交換機に通過させ、温風との熱交換によって昇温した空気を乾燥機に供給することにより、熱交換機の目詰まりを防止しつつ、乾燥機から排出される温風の熱を再利用するようにした乾燥機の熱交換集塵設備が提案されている（特許文献１）。
【特許文献１】特開平７−８６８７号公報
【発明の開示】
【発明が解決しようとする課題】
【０００４】
しかし、リントは極めて軽いことから、排気筒から排出されたリントは風に乗って容易に飛散してしまうという問題があるし、堆積したリントを回収する定期的作業は降雪地域などでは面倒であるし、回収作業を忘れると火災に結びつくという問題がある。
他方、特許文献１の技術は、乾燥機から塵埃を含んで排出される温風を直接フィルタに通して塵埃を除去するため、フィルタの抵抗により排気効率が低下するという問題、フィルタの目詰まりを防止する機構が設けてあるために集塵設備が複雑になるという欠点、更には乾燥機から排出される温風を熱交換機に通すだけでは乾燥工程に有効な温度の温風を供給できないという問題がある。
また、一般に、フィルタを用いる乾式排気浄化法には、フィルタの目詰まりや風圧によって排気筒が振動し、装置の耐久性に悪影響を及ぼす、振動による騒音が発生するという欠点がある。
【０００５】
本発明は上述した従来技術の欠点に鑑みなされたもので、屋外に排出する前に高温排気中からリントを分離し、清浄な状態で屋外に排気することで環境汚染を防止し、かつ排気を熱源として洗濯物の乾燥に再利用可能な温度にまで生成した熱風を供給することでランニングコストを低減するようにした排熱を補助熱源とする熱風式乾燥装置及び排熱を補助熱源とする熱風式乾燥方法を提供することを目的とする。
【課題を解決するための手段】
【０００６】
上述した課題を解決するための請求項１に係る本発明を構成する手段は、熱風式乾燥機と、該熱風式乾燥機から排気ダクトに放出される高温排気を導入して散水により該高温排気中のリントを捕捉分離する排気浄化機と、該排気浄化機の排気浄化水を熱源としてヒートポンプにより高温水を生成し、該高温水を放熱機に供給することにより生成する熱風を前記熱風式乾燥機に供給する補助熱源機構とからなる。
【０００７】
そして、前記排気浄化機は、前記高温排気が流入・流出するケーシングと、該ケーシング内を流動する高温排気に散水するノズルを有し、該高温排気中のリントを水滴で捕捉する散水機構とから構成するとよい。
【０００８】
また、前記補助熱源機構は、前記排気浄化機のケーシング内の排気浄化水からリントを回収するストレーナと、リントを除去した排気浄化水を熱源として高温水を生成するヒートポンプと、該ヒートポンプにより生成した高温水により熱風を生成して前記熱風式乾燥機に供給をする放熱機とから構成するとよい。
【０００９】
また、本願の請求項４に係る発明を構成する手段は、熱風により洗濯物を乾燥する熱風式乾燥機から排出される高温排気に散水することにより該高温排気中からリントを分離し、浄化した排気は外部に放出し、リントを捕捉した排気浄化水は該リントを除去した後ヒートポンプに供給して高温水を生成し、該高温水を放熱機に供給して生成した熱風を補助熱源として前記熱風式乾燥機に供給するようにしたことにある。
【発明の効果】
【００１０】
本発明は上述の如く構成したから、下記の諸効果を奏する。
（１）熱風式乾燥機から排出される高温排気は、排気浄化機により散水してリントを分離した状態で外部に放出するようにしたからリントの拡散による環境汚染を解決できる。また、補助熱源機構は、リントを分離した排気浄化水を熱源にしてヒートポンプにより高温水を生成し、この高温水により放熱機で熱風を生成して熱風式乾燥機に補助熱源として供給するようにしたから、排気熱を再利用することで乾燥作業のランニングコストを低減することができる。
（２）排気浄化機は、高温排気からリントを分離するために、散水して水滴によりリントを捕捉するようにしたから、フィルタによりリントを除去する乾式の従来技術と異なり、ケーシング内を流動する高温排気の流速が減じることがないから熱風乾燥機の排気効率を長期間維持することができる。また、フィルタの目詰まりや風圧による排気筒の振動が生じないから、振動による装置の劣化も無いし、騒音の少ない静粛な装置として使用できる。
（３）補助熱源機構は、排気浄化水を熱源にしてヒートポンプにより高温水を生成し、放熱機で高温水により熱風を生成して熱風式乾燥機に供給するから、洗濯物の乾燥に有用な温度の熱風に生成することができるし、乾燥機のランニングコストを低減することができる。
【発明を実施するための最良の形態】
【００１１】
以下、本発明の実施の形態について図面を参照しつつ詳述する。図において、１は熱風式乾燥機で、該熱風式乾燥機１は洗濯物を入れたドラムをハウジング１Ａ内で回転させながら熱風を吹き込むことにより洗濯物を乾燥する公知の構成からなるものである。２は該ハウジング１Ａに接続して先端２Ａが屋外に開口した排気ダクトで、該排気ダクト２の途中には導入用分岐管２Ｂと排出用分岐管２Ｃが接続してあり、両分岐管２Ｂ、２Ｃの間に位置して排気ダクト２には後述する排気浄化機１１が作動停止の場合に排気を直接排出するための遮断弁２Ｄが設けてある。
【００１２】
１１は前記熱風式乾燥機１から排出される高温排気に混入しているリントを散水により捕捉分離し、排気を浄化するようにしたウエット式の排気浄化機を示す。１２は該排気浄化機１１を構成するケーシングで、該ケーシング１２は底板１２Ａ，前板１２Ｂ、後板１２Ｃ、左右の側板１２Ｄ、１２Ｅ及び天板１２Ｆによって箱型に構成してあり、天板１２Ｆには前記導入用分岐管２Ｂを接続する流入口１３と、排出用分岐管２Ｃを接続する排出口１４が対角線上に位置して設けてある。１５、１５は前記流入口１３と排出口１４との間に位置して天板１２Ｆに垂設した一対のバッフルプレートで、該一対のバッフルプレート１５、１５は金属製或いは合成樹脂製の横長板状をなしており、高温排気が流入口１３から排出口１４に直線状に流動するのを阻止し、高温排気をケーシング１２内で長く流動させることで水滴による捕捉率を高めている。
【００１３】
１６は流動する排気に散水する散水機構で、該散水機構１６はケーシング１２の下部側に接続し、ケーシング１２内に滞留する排気浄化水を吸引する吸引管１６Ａと、該吸引管１６Ａに接続したストレーナ１６Ｂと、ストレーナ１６Ｂに接続した噴射ポンプ１６Ｃと、該噴射ポンプ１６Ｃに接続したＴ字状の連結管１６Ｄと、該連結管１６Ｄの分岐した両先端にフレキシブル管を介して接続され、一対のバッフルプレート１５、１５に沿って前板１２Ｂと後板１２Ｃ間に回動可能に架設し、外部から散水角度を調整可能に構成した一対の散水ノズル管１６Ｅ、１６Ｅとから構成してある。
【００１４】
散水機構１６は上述の構成からなり、ケーシング１２内に滞留する排気浄化水をストレーナ１６Ｂに通してリントを除去しながら噴射ポンプ１６Ｃで吸引し、各散水ノズル管１６Ｅから流動する高温排気に向けて散水する。これにより、高温排気に混入しているリントは水滴が捕捉して高温排気から分離する。リントを捕捉した水滴は落下してケーシング１２内下部に滞留し、排気浄化水として噴射ポンプ１６Ｃによって再び散水ノズル管１６Ｅに送られる。他方、排気浄化水中のリントは底板１２Ａ上に次第に堆積するので、堆積したリントは適宜の間隔でケーシング１２内から回収する。
【００１５】
１７はケーシング１２に設けた補給水管で、該補給水管１７の先端にはフロート弁１７Ａを設け、ケーシング１２内の水位を保つようにしてある。１８は排気浄化水の水量を制御するためにケーシング１２に接続したオーバーフロー管、１９はケーシング１２の底板１２Ａに設け、該オーバーフロー管１８に接続したブロー弁である。
【００１６】
２１はケーシング１２内の排気浄化水の一部を熱源とする補助熱源機構を示す。２２は該補助熱源機構２１を構成する熱源用の循環ポンプを示し、該循環ポンプ２２は給水管２３を介してケーシング１２に連通しており、上流にはリント回収用ストレーナ２４が設けてある。２５は排気浄化水を熱源とする水冷式のヒートポンプで、該ヒートポンプ２５の低圧側２５Ａに温水送り管２６を介して循環ポンプ２２が接続してあり、ヒートポンプ２５には約２５℃の排気浄化水が供給され、水戻り管７によってケーシング１２に還流するようになっている。
【００１７】
２８は前記ヒートポンプ２５で生成した高温水により熱風を生成する放熱機を示す。該放熱機２８は連通管２９によってヒートポンプ２５の高圧側２５Ｂと接続しており、ヒートポンプ２５により生成した約５０〜５５℃の高温水を熱風に変換し、熱風乾燥機１に補助熱源として供給するようになっている。
【００１８】
本実施の形態に係る補助熱源付き熱風乾燥装置は上述の構成からなり、以下のように作動する。熱風乾燥機１から排気ダクト２に排出される約７５℃の高温排気は、常時は遮断弁２Ｄが閉弁していることで導入用分岐管２Ｂを介して流入口１３からケーシング１２内に流入する。ケーシング１２内には下方に排気浄化水が滞留しており、上方には高温排気が直線状に流れるのを妨げるバッフルプレート１５、１５を設けてあるから、高温排気は水面と天板１２Ｆとの空間を波状に流動する。
【００１９】
ケーシング１２内を流動する高温排気に対して散水機構１６の散水ノズル管１６Ｅ、１６Ｅから散水し、高温排気に混入しているリントを水滴により捕捉して排気から分離する。高温排気が波状にうねって流動する間に水滴は確実に、かつ高い効率でリントを捕捉することができる。リントを捕捉した水滴はケーシング１２内の排気浄化水に混合し、リントは底部に次第に堆積する。リントが分離して浄化された排気は排出口１４から排出用分岐管２Ｃを介して先端開口から屋外に約３０〜４０℃の温度に低下して放出される。
【００２０】
本実施の形態は、高温排気に散水してリントを分離することにより排気の流動抵抗を可及的に小さくしてあり、フィルタを用いた場合のようにリントが目詰まりして排気の流動抵抗が早期に高くなるといった事態が全くないので、熱風式乾燥機１は長期間本来の性能を発揮することができる。
【００２１】
上述の如く、ケーシング１２内で高温排気と接触した排気浄化水は加温されて約２５℃の温度になっているから、補助熱源機構２１により排気浄化水をヒートポンプ２５の熱源にして高温水を生成する。ヒートポンプ２５には公知のものを用いることができ、ヒートポンプ２５によって約５５〜７０℃の高温水を生成する。この高温水を放熱機２８に送り、高温水を熱源にして熱風を生成し、これを熱風式乾燥装置１に供給することで、熱風式乾燥装置１のランニングコストを低減することができる。
【００２２】
なお、本実施の形態では、熱風式乾燥機１と対に１セットの排気浄化機１１及び補助熱源機構２１を用いた例を挙げたが、本発明によれば複数基の熱風式乾燥機１、１、・・・を１セットの排気浄化機１１及び補助熱源機構２１に組合せて同時に乾燥処理することも可能である。
【図面の簡単な説明】
【００２３】
【図１】本発明の実施の形態に係る排熱を補助熱源とする熱風式乾燥装置の構成説明図である。
【図２】排気浄化機の構成説明図である。
【符号の説明】
【００２４】
１        熱風乾燥機
２        排気ダクト
１１      排気浄化機
１２      ケーシング
１６      散水機構
１６Ｅ    散水ノズル管
２１      補助熱源機構
２４      ストレーナ
２５      ヒートポンプ
２８      放熱機
【図１】
2010162197.tif 000003
【図２】
2010162197.tif 000004